(57)【特許請求の範囲】
【請求項１】
プローブに肌に接する金属製のプローブヘッドを設けると共に、金属製のプローブヘッドの肌当接用金属面と反対側に、超音波発振回路からの出力信号により超音波振動する超音波振動素子を備えた超音波美容器において、超音波振動素子の側面と肌に接触するプローブヘッドの肌当接用金属面と反対側の面とにそれぞれ当接するように温度センサーを設けて成ることを特徴とする超音波美容器。
【請求項２】
プローブヘッドの肌に当接する肌当接用金属面と反対側を凹部とし、凹部の底面部に超音波振動素子を配設すると共に超音波振動素子の側面と凹部の内側面との間に隙間を形成して該隙間に温度センサーを配設して成ることを特徴とする請求項１記載の超音波美容器。
【発明の詳細な説明】
【０００１】
【発明の属する技術分野】
本発明は、超音波美容器に関するものである。
【０００２】
【従来の技術】
従来から超音波美容器として、実用新案登録番号第３０１５０６１号公報が知られているが、この従来例にあっては金属製のプローブヘッドは肌当接用金属面の反対側に単に超音波振動素子だけが配置されているだけであった。
【０００３】
【発明が解決しようとする課題】
ところが、上記のような従来例にあっては、超音波振動素子を長時間振動させたり、あるいはある肌の一点に集中して超音波を当て続けると、超音波振動素子並びに肌に接触する金属製のプローブヘッドが熱くなり、肌を火傷するおそれがあるという問題点があった。
【０００４】
本発明は上記の従来例の問題点に鑑みて発明したものであって、超音波振動素子並びに金属製のプローブヘッドが熱くなって肌が火傷するのを防ぐために、超音波振動素子並びに金属製のプローブヘッドの温度を正確に検知することができる超音波美容器を提供することを課題とするものである。
【０００５】
【課題を解決するための手段】
上記課題を解決するために、本発明の超音波美容器は、プローブ１に肌に接する金属製のプローブヘッド２を設けると共に、金属製のプローブヘッド２の肌当接用金属面３と反対側に、超音波発振回路からの出力信号により超音波振動する超音波振動素子５を備えた超音波美容器４において、超音波振動素子５の側面と肌に接触するプローブヘッド２の肌当接用金属面３と反対側の面とにそれぞれ当接するように温度センサー６を設けて成ることを特徴とするものである。このような構成とすることで、超音波振動素子５を長時間振動させたり、あるいは肌のある一点に集中して超音波を当て続けた場合に、超音波振動素子５並びに肌に接触する金属製のプローブヘッド２が熱くなるが、これを瞬時に温度センサー６により確実に検知することができることになる。
【０００６】
また、プローブヘッド２の肌に当接する肌当接用金属面３と反対側を凹部７とし、凹部７の底面部に超音波振動素子５を配設すると共に超音波振動素子５の側面と凹部７の内側面との間に隙間８を形成して該隙間８に温度センサー６を配設することが好ましい。このような構成とすることで、温度センサー６を超音波振動素子５の側面とプローブヘッド２の肌に当接する肌当接用金属面３と反対側の面とに当接するように確実に配設することができるものである。
【０００７】
【発明の実施の形態】
以下本発明を添付図面に示す実施形態に基づいて説明する。
本発明の超音波美容器４は、図１に示すように、超音波を発生させるための超音波発振回路を収納した本体ケース９と、超音波を発振するプローブ１と、プローブ１と本体ケース９内に設けた超音波発振回路とを電気的につなぐコード１０と、本体ケース９に設けたプローブ収納部１１と、本体ケース９に設けた操作パネル１２と、本体ケース９に開閉自在に取付けた蓋１３と、電源コード（図示せず）とで構成してある。なお、電源コードは本体ケース９に設けた図示を省略した電源コード収納部に収納される。
【０００８】
プローブ１は図２乃至図５に示すようにグリップ１４の一端部にヘッド取付け部１５を設け、このヘッド取付け部１５に設けた取付け用開口部１６に超音波発振回路からの出力信号により超音波振動する超音波振動素子５を備えたプローブヘッド２を取付けて構成してある。
グリップ１４は図２、図４に示すように、上グリップ半体１４ａと下グリップ半体１４ｂとに２分割してあって、ねじ具３１により固着されるものである。ここで、下グリップ半体１４ｂに上記取付け用開口部１６が設けてあり、取付け用開口部１６の開口縁部の後端部には図４に示すように、受け段部１７が形成してある。また、上グリップ半体１４ａの前端部の内面部には下方に向けて押圧用支持脚３０が設けてある。
【０００９】
プローブヘッド２は金属製であって有底円筒状をしており、前端面部である底部１８の外面部が肌に接する部分である肌当接用金属面３となっている。また、プローブヘッド２の肌当接用金属面３と反対側は後端部が開口した凹部７となっている。そして、この底部１８の外面部である肌当接用金属面３と反対側の面（つまり底部１８の内面部）に超音波発振回路からの出力信号により超音波振動する超音波振動素子５を接着剤１９により固着してある。超音波振動素子５は有底円筒状をしたプローブヘッド２の内径よりも小さく、超音波振動素子５を底部１８の内面部に固着した状態で超音波振動素子５の側面と凹部７の内側面との間に隙間８が形成されるようになっている。
【００１０】
上記超音波振動素子５の側面と凹部７の内側面との間に形成される隙間８には温度センサー６が配設され、該温度センサー６は超音波振動素子５の側面と肌に接触する金属製のプローブヘッド２の肌当接用金属面３と反対側の面とにそれぞれ当接した状態で温度センサー６及びプローブヘッド２に接着剤１９により固着してある。このように、超音波振動素子５の側面と肌に接触する金属部の肌当接用金属面３と反対側の面とにそれぞれ当接するように温度センサー６を設けることで、超音波振動素子５並びに肌に接触する金属製のプローブヘッド２の温度を瞬時に検知できるようにしてある。
【００１１】
有底円筒状をしたプローブヘッド２の凹部７の後方の開口部には図７に示すようにゴムのような弾性材料により形成したヘッド保持用弾性体２０が取付けてあり、プローブヘッド２はこのヘッド保持用弾性体２０を介してグリップ１４に取付けられて、剛体であるグリップ１４にプローブヘッド２から直接振動が伝わらないようにし、肌に効果のある超音波だけをプローブヘッド２から発振できるようになっている。ヘッド保持用弾性体２０は図６に示すように有底筒状をしており、筒状部２１の外周部の前後方向の略中央部に鍔部２２を一体に形成してあり、鍔部２２の前面部には環状凹溝２２ａが形成してある。また、筒状部２１の外周部の前部に周方向にわたって連続する弾性突条２３を複数個設けてあり、また、ヘッド保持用弾性体２０の後端部の隅部にコード通し用孔２４が設けてある。ヘッド保持用弾性体２０の筒状部２１の前部がプローブヘッド２の凹部７内に嵌め込まれると共に複数個の弾性突条２３が凹部７の内周面に弾接してシールしてあり、また、プローブヘッド２の後端部の開口縁に設けた外鍔部２５がヘッド保持用弾性体２０の鍔部２２の環状凹溝２２ａに嵌まり込むものである。コード通し用孔２４にはコード１０が挿通されるが、コード通し用孔２４の内周部がコード１０に周方向にわたって弾性的に密着してシールすると共にコード１０を保持してあり、該コード１０と前述の超音波振動素子５と温度センサー６とはヘッド保持用弾性体２０内においてコネクタ２６等で電気的に接続してある。したがって、有底円筒状をしたプローブヘッド２の凹部７の後方の開口部にはゴムのような弾性材料により形成したヘッド保持用弾性体２０を取付けることによりプローブヘッド２内への水の浸入を防止してプローブヘッド２内の超音波振動素子５を含む電気部品の防水シールをおこなっている。
【００１２】
ここで、図６に示すように、コード１０がコード通し用孔２４部分において弾性的に保持されると共にコネクタ２６が有底筒状をしたヘッド保持用弾性体２０の内壁に保持されていてコネクタ２６ががたつかないようになっている。
プローブヘッド２の外周部の後端部には更にゴムのような弾性材料により形成した環状弾性体２７が弾性的に被嵌してあり、弾性環状体２７の後端部のフランジ部２８をヘッド保持用弾性体２０の鍔部２２に当接してある。
【００１３】
そして、図４、図５に示すようにプローブヘッド２にヘッド保持用弾性体２０、弾性環状体２７を取付けた状態で、下グリップ半体１４ｂに設けた取付け用開口部１６にプローブヘッド２を嵌め込み、弾性環状体２７のフランジ部２８を介してヘッド保持用弾性体２０の鍔部２２を取付け用開口部１６の開口縁部に設けた受け段部１７に押し当て、この状態で下グリップ半体１４ｂに上グリップ半体１４ａをねじ具３１で固着することで、ヘッド保持用弾性体２０の後部を上グリップ半体１４ａに設けた押圧用支持脚３０により押圧して取付けるものである。
【００１４】
ここで、弾性環状体２７は設けても、設けなくてもいずれでもよいが、弾性環状体２７を設けることで、グリップ１４内への異物や水の浸入を確実に防止することができる。
上記のようにしてヘッド保持用弾性体２０を介してヘッド取付け部１５の取付け用開口部１６からプローブヘッド２が突出するように取付けるものであるが、この場合、図２に示すように、プローブヘッド２の突出方向Ａがグリップ１４の軸線Ｂに対して約７５°傾いて取付けられることになる。また、プローブヘッド２の突出長さは約１５ｍｍとなっている。このようにプローブヘッド２の突出方向Ａをグリップ１４の軸線Ｂに対して約７５°傾け、プローブヘッド２の突出長さを約１５ｍｍとすることで無理なくプローブヘッド２を頬に当てることができると共に、小鼻等の細かいところにスムーズにプローブヘッド２の肌当接用金属面３が当接できるものである。
【００１５】
しかして、上記のような構成のプローブ１は、超音波発振回路からの出力信号により超音波振動素子５が発振するものであり、金属製のプローブヘッド２を肌に当てて使用することでプローブヘッド２より肌に超音波が伝播され、毛穴の汚れや古角質を浮きださせると共に、肌の引締め等の効果をもたらすものである。
この時、超音波振動素子５を長時間振動させたり、肌のある一点に集中して超音波を当て続けると、超音波振動素子５並びにプローブヘッド２が熱くなってしまって肌を火傷する恐れがあるので、温度センサー６がある一定の温度を越えた時、コード１０を介して超音波発振回路に信号を送り、超音波の出力信号を停止するように設定してある。したがって、超音波振動素子５並びにプローブヘッド２が熱くなって一定温度を越えると、超音波発振回路からの出力信号が停止されて超音波振動素子５の発振が停止される。
【００１６】
上記温度センサー６による温度の検知にあたって、超音波振動素子５の側面と肌に接触するプローブヘッド２の肌当接用金属面３と反対側の面とにそれぞれ当接するように温度センサー６を設けてあるので、プローブヘッド２の肌当接用金属面３の温度を瞬時に確実に検知することができるものである。
【００１７】
【発明の効果】
本発明の請求項１記載の発明にあっては、超音波振動素子の側面と肌に接触するプローブヘッドの肌当接用金属面と反対側の面とにそれぞれ当接するように温度センサーを設けてあるので、超音波振動素子を長時間振動させたり、あるいは肌のある一点に集中して超音波を当て続けた場合に、超音波振動素子並びに肌に接触する金属製のプローブヘッドが熱くなるが、これを瞬時に温度センサーにより確実に検知して火傷を防ぐようにすることができ、特に、発熱するものの近くでプローブヘッドの肌に直接当たる部分の温度を直接検知して瞬時に金属肌接触面の温度を確実に検知できるものである。
【００１８】
また、プローブヘッドの肌に当接する肌当接用金属面と反対側を凹部とし、凹部の底面部に超音波振動素子を配設すると共に超音波振動素子の側面と凹部の内側面との間に隙間を形成して該隙間に温度センサーを配設してあるので、簡単な構成で温度センサーを超音波振動素子の側面とプローブヘッドの肌に当接する肌当接用金属面と反対側の面とに当接するように確実に配設することができるものである。
【図面の簡単な説明】
【図１】本発明の美容器の全体斜視図である。
【図２】同上の側面図である。
【図３】同上の下面図である。
【図４】同上の側面断面図である。
【図５】同上のプローブの上プローブ半体を外した状態を示す平面図である。
【図６】同上のプローブヘッドにヘッド保持用弾性体を取付けた状態の断面図である。
【図７】同上のプローブヘッドにヘッド保持用弾性体を取付けた状態の側面図である。
【符号の説明】
１  プローブ
２  プローブヘッド
３  肌当接用金属面
４  超音波美容器
５  超音波振動素子
６  温度センサー
７  凹部
８  隙間
【図１】
0003783339.tif 000002
【図２】
0003783339.tif 000003
【図３】
0003783339.tif 000004
【図４】
0003783339.tif 000005
【図５】
0003783339.tif 000006
【図６】
0003783339.tif 000007
【図７】
0003783339.tif 000008